(57)【特許請求の範囲】
【請求項１】
端部から壁梁（12）を連続して設けた底梁（11）を、水路の流れ方向に所定間隔で設け、該底梁（11）及び壁梁（12）の間に背面版部（２）と仕切壁部（３）とを保持することにより、背面版部（２）及び仕切壁部（３）との間で魚巣や水辺植物の採光植生間隙（４）を構成した上部張出し採光ブロックにおいて、背面版部（２）は、上部が張出した状態の張出し部（18）を水路上に設けるために前記採光植生間隙（４）への採光が可能な角度で上部が前方となるよう鋭角で傾斜した壁梁（12）の間に保持され、仕切壁部（３）は、ほぼ背面版部（２）の上部張出し天端部直下となるように、鋭角に傾斜した壁梁（12）の上部に達する起立柱（14）を底梁（11）から設け、該起立柱（14）の内側に設けた下部切欠き（14a）に嵌め、採光植生間隙（４）に配置した自然石（13）で抑えて前記起立柱（14）に対して保持させることを特徴とする上部張出し採光ブロック。
【発明の詳細な説明】
【０００１】
【産業上の利用分野】
本発明は、水路上に上部を張出した状態で例えば歩道を設けるとか花壇等を設け、かつ水路側部へ採光を可能とするための上部張出し採光ブロックに関するものである。
【０００２】
【従来の技術】
河川の護岸を兼ねて法面へ使用される上部張出しブロックが、例えば実開平５−６７６３９号にその一例が見られる。下方に水路部を形成し、上方に歩道部を形成するためにほぼＺ形にコンクリートによって形成されている。水路部と歩道部との間に傾斜壁があって、その下方には水路部に連通する貫通孔を設けて、魚の出入りができるようになっている。
【０００３】
【発明が解決しようとする課題】
従来の上部張出し採光ブロックでは、通常は生物に対する配慮がなされていないものが多いが、上記例のように魚類の出入りが可能なものもみられる。しかし下方に形成された水路部に採光に配慮を加えて生物が好む水生植物の繁茂を可能にすることによって、より生態系保全水路にすることができる。上部張出しブロックではないが、水路の側壁へ凹部を形成したものも例えば実開平３−２０２４号にみられるが、採光に関する配慮がみられないので、水生植物の繁茂といった課題を解決できるものではない。本発明は上部張出しブロックに、より生態系保全機能をもたせようとするもので、特に水路部内の採光に配慮した。
【０００４】
【課題を解決するための手段】
本発明は上記の点に配慮して、上部が張出した状態の張出し部１８を水路上に設けるために底部１に対して、背部に上部へ張出し部を形成する背面版部２と、前部に背面版部２よりも低い仕切壁部３をそれぞれ設けた上部張出し採光ブロックであって、底部１は背面版部２及び仕切壁部３との間で魚巣や水辺植物の植生間隙４をなし、背面版部２は採光植生間隙４への採光が可能な角度で上部が前方となるよう鋭角で傾斜し、仕切壁部３はほぼ背面版部２の上部張出し天端部直下となるよう設けてなる上部張出し採光ブロックである。
【０００５】
この上部張出し採光ブロックは、背面版部２に水平方向の手掛り溝５又は下方に透水スリット６を設けると好ましい。
【０００６】
また、仕切壁部３には生物移動用穴７を設けるとよい。
【０００７】
更に、底部１には貫通穴８を設けるとよい。
【０００８】
【作用】
本発明の上部張出し採光ブロックは、背面版部２と仕切壁部３との間の採光植生間隙４へ自然光の入射が可能となり、水生植物の繁茂や魚類に対する好適な生存条件を与える。加えて、水質浄化機能も果たすことができる。
【０００９】
背面版部２に水平方向の手掛り溝５を設けると、誤って水路に子供等が落ちた場合に脱出する手掛かりとなる。
また、下方に透水スリット６を設けたことにより、歩道等の下方への排水を促すことができる。
【００１０】
更に、仕切壁部３に生物移動用穴７を設けたことにより、魚類その他の水中生物にブロック内外への移動を可能にする。
加えて、底部１に貫通穴８を設けたことにより、ブロック下方からの水生植物の繁殖を促すことができる。
【００１１】
【実施例】
図１，２は施工場所が軟弱地盤の場合に適した本発明の上部張出し採光ブロックであって、図１は施工状態を示す斜視図、図２は側面図である。この例では、底部は軟弱地盤特有の沈下に耐えさせるために打ち込まれた両側の打込杭１０，１０上に底梁１１が渡架され、底部１を形成している。この底梁１１の端部から採光に充分な角度（この場合ほぼ５０°）で傾斜した壁梁１２が連続して設けられている。水路の流れ方向に所定間隔で設けた底梁１１及び壁梁１２の間には、背面版部２と仕切壁部３とが保持されている。板状の背面版部２は壁梁１２の背部側の支持凹部１２ａに支持させる。この背面版部２は適当な位置へ溝状（又は隙間）の手掛り溝５を設けておくと、誤って水路に落ちた子供等が脱出する際の手掛かりとなる。仕切壁部３は底梁１１に設けた保持溝１１ａで支持している。
【００１２】
仕切壁部３には生物移動用穴７を設けているので、魚類等が底部１の背面版部２及び仕切壁部３との間の採光植生間隙４での魚巣や水辺植物の生存を可能にする。この背面版部２と仕切壁部３の間は、底板無しかつ中空状態で日光が射すので自然石１３等を投入しておくことによって、植物の繁茂と、生物にすみかを与える。上方には張出し部１８が形成されている。
【００１３】
図３，４はこれも施工場所が軟弱地盤の場合に使用される本発明の上部張出し採光ブロックで、図３は施工状態を示す斜視図、図４は側面図である。この例では仕切壁部３は、底梁１１から上部へ壁梁１２の頂部に達するまで設けられた起立柱１４の下部切欠き１４ａへ嵌めて後から自然石１３で抑えて保持させている。壁梁１２も起立梁１４も下方が分割された状態にあり、上部長さを自由に変えることができて高さの調節ができる。
【００１４】
図５は適度に貫通穴８を設けた底部１に対して、背部に上部へ張出し部１８を形成する背面版部２と、前部に背面版部２よりも低い仕切壁部３をそれぞれ設けた一体型の上部張出し採光ブロックである。底部１は背面版部２及び仕切壁部３との間で魚巣や水辺植物の採光植生間隙４をなす広さである。背面版部２は下方が垂直壁部２ａであり、採光植生間隙４への採光が可能な角度で上部が前方となるよう傾斜壁部２ｂとし、最上部天端部２ｃを形成している。仕切壁部３はほぼ背面版部２の上部張出し天端部直下となる位置に設けている。背面版部２には透水スリット６を設けている。仕切壁部３には生物移動用穴７を設けている。板状の背面版部２には透水スリット６を設けている。
【００１５】
図６は前記実施例の底部１に対して、前後に突出部１ａ，１ｂを設け、かつ、前部に現場打ち一体用鉄筋１ｃを突出させている。これにより水路底部を現場打ちコンクリートで一体化することができる。背面版部２には透水スリット６を設けている。
【００１６】
図７，８は水路底が一体化された上部張出し採光ブロックの例である。この例では水路底に貫通穴１５を設けている。左右は図５，６に示したものとほぼ同様な構造である。背面版部２には透水スリット６を設けている。
【００１７】
図９は仕切壁部３を別体で形成し、これを組付けるタイプのものである。この仕切壁部３を別体に形成する構造については、図５〜図８に示したいずれの場合にも採用することができる。底部１の中間部は貫通長穴１６によって中抜き構造となっている。
【００１８】
【発明の効果】
本発明によって張出し施工がなされた水路に光を充分に採り入れることができるので、水生植物の繁茂、水棲動物、特に魚類に対してすみかを与えることができ、多自然型の水路を形成することができる。
【図面の簡単な説明】
【図１】軟弱地盤に施工される本発明の上部張出し採光ブロックの施工状態を示す斜視図である。
【図２】同側面図である。
【図３】他の実施例の上部張出し採光ブロックの施工状態を示す斜視図である。
【図４】同側面図である。
【図５】底部と背面版部と仕切壁部を一体型に形成した上部張出し採光ブロックの斜視図である。
【図６】同一体型であって、底版を現場打ちコンクリートと一体型に形成することのできる上部張出し採光ブロックの斜視図である。
【図７】左右一体型の上部張出し採光ブロックの側面図である。
【図８】同斜視図である。
【図９】仕切壁部を別体に形成した上部張出し採光ブロックの部分斜視図である。
【符号の説明】
１  底部
２  背面版部
３  仕切壁部
４  採光植生間隙
５  手掛り溝
６  透水スリット
７  生物移動用穴
８  貫通穴
１０  打込杭
１１  底梁
１２  壁梁
１３  自然石
１８  張出し部
【図１】
0003583806.tif 000002
【図２】
0003583806.tif 000003
【図３】
0003583806.tif 000004
【図４】
0003583806.tif 000005
【図５】
0003583806.tif 000006
【図６】
0003583806.tif 000007
【図７】
0003583806.tif 000008
【図８】
0003583806.tif 000009
【図９】
0003583806.tif 000010